(57)【要約】方法は、ＭＩＭＯシステムにおいてトレーニングフレームを送信することを送信する。ＭＩＭＯシステムのチャネルを介して局Ｂから局Ａにトレーニングフレームの長いシーケンスが送信され、局ＡはＮＡ個のアンテナとＮＡ＿ＳＳ個のＲＦチェーンとを含み、局ＢはＮＢ個のアンテナとＮＢ＿ＳＳ個のＲＦチェーンとを含み、トレーニングフレームの長いシーケンスにおけるフレームの数は、少なくともＬＮＢ・ＮＡ／ＮＡ＿ＳＳ」に等しい。トレーニングフレームの長いシーケンスを受信することに応じて、チャネルを介して局Ａから局Ｂにトレーニングフレームの短いシーケンスが送信される。短いトレーニングシーケンスにおけるフレームの数は、少なくともＬＮＡ＿ＳＳ・ＮＢ／ＮＢ＿ＳＳＬ」に等しい。
2008541497.tif 000002
【特許請求の範囲】
【請求項１】
ＭＩＭＯシステムにおいてトレーニングフレームを送信する方法であって、
前記ＭＩＭＯシステムのチャネルを介して局Ｂから局Ａにトレーニングフレームの長いシーケンスを送信することであって、前記局ＡはＮＡ個のアンテナとＮＡ＿ＳＳ個のＲＦチェーンとを含み、前記局ＢはＮＢ個のアンテナとＮＢ＿ＳＳ個のＲＦチェーンとを含み、前記トレーニングフレームの長いシーケンスにおけるフレームの数は、少なくともＬＮＢ・ＮＡ／ＮＡ＿ＳＳ」に等しい、トレーニングフレームの長いシーケンスを送信すること、
及び
前記トレーニングフレームの長いシーケンスを受信することに応じて、前記チャネルを介して前記局Ａから前記局Ｂにトレーニングフレームの短いシーケンスを送信することであって、前記短いトレーニングシーケンスにおけるフレームの数は、少なくともＬＮＡ＿ＳＳ・ＮＢ／ＮＢ＿ＳＳ」に等しい、トレーニングフレームの短いシーケンスを送信すること
を含む、ＭＩＭＯシステムにおいてトレーニングフレームを送信する方法。
【請求項２】
前記局Ａにおいて、前記トレーニングフレームの長いシーケンスから前記チャネルの完全な特性を推定すること、
及び
前記局Ｂにおいて、前記チャネルの部分的特性を推定することをさらに含む
請求項１記載の方法。
【請求項３】
前記局Ａにおいて、前記トレーニングフレームの短いシーケンスを送信するために前記完全なチャネル特性に従って前記ＲＦチェーンの数を選択することをさらに含む
請求項２記載の方法。
【請求項４】
前記局Ａにおいて、前記トレーニングフレームの短いシーケンスを送信するために前記完全なチャネル特性に従って利用可能な送信ビームのサブセットを選択することをさらに含む
請求項２記載の方法。
【請求項５】
前記局Ｂにおいて、前記局Ａからデータフレームを受信するために前記チャネルの前記部分的特性に従って利用可能なＲＦチェーンのセットを選択することをさらに含む
請求項２記載の方法。
【請求項６】
前記局Ｂにおいて、前記局Ａからデータフレームを受信するために前記チャネルの前記部分的特性に従って利用可能な受信ビームのサブセットを選択することをさらに含む
請求項２記載の方法。
【請求項７】
前記ＭＩＭＯシステムは、周波数選択的である
請求項１記載の方法。
【請求項８】
前記ＭＩＭＯシステムは、直交周波数分割多重方式を使用する
請求項１記載の方法。
【請求項９】
前記局Ａにおける前記アンテナの数及び前記局Ｂにおける前記ＲＦチェーンの数を、前記ＭＩＭＯシステムの媒体アクセスレイヤを使用して前記局Ａと前記局Ｂとの間で通信することをさらに含む
請求項１記載の方法。
【請求項１０】
前記局Ａにおける前記アンテナの数及び前記局Ｂにおける前記ＲＦチェーンの数を、前記ＭＩＭＯシステムの物理レイヤのプリアンブルで前記局Ａと前記局Ｂとの間で通信することをさらに含む
請求項１記載の方法。
【請求項１１】
前記局Ａにおける前記アンテナの数及び前記ＲＦチェーンの数は、事前に確定されている
請求項１記載の方法。
【請求項１２】
前記トレーニングフレームの長いシーケンスは、前記局Ｂにおける前記局Ａからの完全なトレーニングに対する要求を受け取ることに応じて送信される
請求項１記載の方法。
【請求項１３】
ＭＩＭＯシステムであって、
前記ＭＩＭＯシステムのチャネルを介してトレーニングフレームの長いシーケンスを送信するように構成される局Ｂと、
前記トレーニングフレームの長いシーケンスを受信することに応じて、前記チャネルを介してトレーニングフレームの短いシーケンスを送信するように構成される局Ａとを備え、
前記局ＡはＮＡ個のアンテナとＮＡ＿ＳＳ個のＲＦチェーンとを含み、前記局ＢはＮＢ個のアンテナとＮＢ＿ＳＳ個のＲＦチェーンとを含み、前記トレーニングフレームの長いシーケンスにおけるフレームの数は、少なくともＬＮＢ・ＮＡ／ＮＡ＿ＳＳ」に等しく、前記短いトレーニングシーケンスにおけるフレームの数は、少なくともＬＮＡ＿ＳＳ・ＮＢ／ＮＢ＿ＳＳ」に等しい、ＭＩＭＯシステム。
【請求項１４】
前記局Ｂにおいて、前記トレーニングフレームの長いシーケンスに従ってＲＦチェーンのセットを選択されたアンテナに切り替えること、及び
前記局Ａにおいて、前記トレーニングフレームの短いシーケンスに従ってＲＦチェーンのセットを選択されたアンテナに切り替えることをさらに含む
請求項１３記載のＭＩＭＯシステム。
【請求項１５】
前記局Ｂにおける前記アンテナは、完全なチャネル特性に従って選択され、前記局Ａにおける前記アンテナは、部分的チャネル特性に従って選択される
請求項１３記載のＭＩＭＯシステム。
【請求項１６】
ＭＩＭＯシステムにおいてトレーニングフレームを送信する方法であって、
前記ＭＩＭＯシステムのチャネルを介して局Ｂから局Ａにトレーニングフレームの長いシーケンスを送信することであって、前記局ＡはＮＡ個のアンテナとＮＡ＿ＳＳ個のＲＦチェーンとを含み、前記局ＢはＮＢ個のアンテナとＮＢ＿ＳＳ個のＲＦチェーンとを含み、前記トレーニングフレームの長いシーケンスにおけるフレームの数は、すべてのアンテナに対して前記チャネルを推定するために十分である、トレーニングフレームの長いシーケンスを送信すること、
及び
前記トレーニングフレームの長いシーケンスを受信することに応じて、前記チャネルを介して前記局Ａから前記局Ｂにトレーニングフレームの短いシーケンスを送信することであって、前記短いトレーニングシーケンスにおけるフレームの数は、局Ａにおいて選択されたアンテナに対し前記チャネルを推定するために十分である、トレーニングフレームの短いシーケンスを送信すること
を含む、ＭＩＭＯシステムにおいてトレーニングフレームを送信する方法。
【発明の詳細な説明】
【技術分野】
【０００１】
本発明は、包括的には多入力多出力（ＭＩＭＯ）通信システムに関し、特に、ＭＩＭＯシステムにおいてトレーニングフレームを生成することに関する。
【背景技術】
【０００２】
無線通信システムにおいて多入力多出力（ＭＩＭＯ）技法を使用することにより、マルチパス環境での容量が著しく増大することが知られている。しかしながら、アンテナが複数あることにより複雑性及びコストが増大する。それは、各送信アンテナ及び各受信アンテナが、変調器及び／又は復調器、ＡＤ／ＤＡコンバータ、アップ／ダウンコンバータ並びに電力増幅器を含む別々の無線周波数（ＲＦ）チェーンを必要とするためである。
【０００３】
アンテナ及び／又はビームを選択することにより、依然として複数のアンテナ及び／又はビームによって提供される容量及びダイバーシチ増大を利用しながら、ＲＦチェーンの数を低減することができる。アンテナの選択において、各入力／出力ＲＦチェーンは、１つの選択されたアンテナに関連付けられる。アンテナの選択は、周波数によって変化する小規模フェージングによって決まる。したがって、１つの周波数に対して選択されたアンテナは、通常、他の何らかの周波数に対して、それら２つの周波数が２つ以上のコヒーレント帯域幅によって分離される場合、適当でない。
【０００４】
ビーム選択は、当該周波数帯域全体に対しておよそ同じであるパスの到来角によって決まる。ビーム選択によって、各入出力ＲＦチェーンが選択されたビームに関連付けられる。これは、すべてのアンテナにおける受信／送信信号を含む信号ベクトルの線形変換によって形成することができる。
【０００５】
アンテナ選択及び／又はビーム選択では、通常、何らかの基準に従って、完全なチャネル行列から、又はビーム選択に対して変換されたチャネル行列から、チャネル部分行列が選択される。アンテナ選択及びビーム選択を実施するために、チャネル行列は、２つの局がチャネルの特性を完全に推定することができるようにするトレーニングフレームを送信することによって推定される。
【０００６】
両局が選択能力を有する場合、チャネルの相互関係により、推定されるチャネルは両方向において同じでなければならず、両局は、選択結果を明示的に交換することなく、独立して同じ部分行列を選択することができる。そして、送信データフレームのコヒーレント検出のために、選択された部分行列を使用することができる。
【０００７】
しかしながら、異なる方向におけるトレーニングフレーム間の時間差によってもたらされる推定誤差又はチャネル変動によってチャネルの曖昧さがもたらされるため、局が送信モード又は受信モードで動作している時、観測されるチャネルは異なり、アンテナ選択が独立しているため、２つの局が異なる部分行列を選択する可能性がある。２つの局によって異なる部分行列が使用される場合、システムの性能は激しく劣化する可能性がある。
【０００８】
この問題を解決するために、明示的な信号方式を使用して物理（ＰＨＹ）レイヤ又は局の媒体アクセスレイヤ（ＭＡＣ）レイヤのいずれかにおける選択に関する情報を交換することができる。しかしながら、物理（ＰＨＹ）レイヤにおける追加の信号方式情報又はＭＡＣレイヤにおける信号方式遅延は、実際的な制限により望ましくない。
【発明の開示】
【発明が解決しようとする課題】
【０００９】
本発明は、ＭＩＭＯシステムにおいてトレーニングフレームを送信する方法及びシステムを提供する。
【課題を解決するための手段】
【００１０】
ＭＩＭＯシステムのチャネルを介して局Ｂから局Ａにトレーニングフレームの長いシーケンスが送信され、局ＡはＮＡ個のアンテナとＮＡ＿ＳＳ個のＲＦチェーンとを含み、局ＢはＮＢ個のアンテナとＮＢ＿ＳＳ個のＲＦチェーンとを含む。
【００１１】
トレーニングフレームの長いシーケンスにおけるフレームの数は、Ｌ」（国際出願では電子出願で使用できない特殊文字が使用されているため、Ｌ」を代用している。）が下限演算である場合、少なくともＬＮＢ・ＮＡ／ＮＡ＿ＳＳ」、すなわち（ＮＢ・ＮＡ／ＮＡ＿ＳＳ）以上の最小整数に等しい。
【００１２】
トレーニングフレームの長いシーケンスを受信することに応じて、チャネルを介して局Ａから局Ｂにトレーニングフレームの短いシーケンスが送信される。短いトレーニングシーケンスにおけるフレームの数は、少なくともＬＮＡ＿ＳＳ・ＮＢ／ＮＢ＿ＳＳ」に等しい。
【発明を実施するための最良の形態】
【００１３】
図１に示すように、ＭＩＭＯシステム１００は、無線チャネル１３０によって接続される局Ｂ１１０及び局Ａ１２０を含む。当該技術分野において既知であるように、局Ａは、ＮＡ個のアンテナとＮＡ＿ＳＳ個のＲＦチェーンとを含み、局Ｂは、ＮＢ個のアンテナとＮＢ＿ＳＳ個のＲＦチェーンとを含む。通常、ＮＡ＞ＮＡ＿ＳＳ且つＮＢ＞ＮＢ＿ＳＳであり、図に示すようにたとえばＮＡ＝ＮＢ＝４且つＮＡ＿ＳＳ＝ＮＢ＿ＳＳ＝２である。当該技術分野において既知であるように、ＲＦチェーンを適当なアンテナに接続するために、切替手段もまた設けられる。この切替プロセスは、通常、アンテナ選択又はビーム選択と呼ばれる。パラメータＮＡ＝ＮＢ及びＮＡ＿ＳＳ＝ＮＢ＿ＳＳを、媒体アクセスレイヤ（ＭＡＣ）で通信してもよく、又は物理（ＰＨＹ）レイヤのプリアンブルで通信してもよく、或いはパラメータは事前に確定されている。
【００１４】
送信モードで動作している局Ｂは、トレーニングフレーム（ＴＦ）の長いシーケンス２００を生成する１１１（図２を参照）。長いシーケンスにおけるフレームの数は、Ｌ」が下限を示す場合、少なくともＬＮＢ・ＮＡ／ＮＡ＿ＳＳ」、すなわち（ＮＢ・ＮＡ／ＮＡ＿ＳＳ）以上の最小整数に等しい。通常、トレーニングフレームの長いシーケンスは、局Ｂにおいて局Ａから「完全なトレーニングに対する要求」を受け取るとそれに応じて生成される。
【００１５】
したがって、本明細書で定義するように、トレーニングフレームの長いシーケンスは、図２に示すように、送信アンテナ２０１〜２０４の各々と受信アンテナ３０１〜３０４の各々とに対し少なくとも１つのトレーニングフレームを含む。
【００１６】
トレーニングフレームの長いシーケンス２００は、チャネル１３０を介して、受信モードで動作している局Ａに送信される。局Ａは、トレーニングフレームの長いシーケンスからチャネル１３０の完全な特性を推定する１２１。局Ａにおいて、完全なチャネル特性を使用して、利用可能なアンテナ又はビームのサブセットを選択することができる。サブセットは、利用可能なアンテナ又はビームの総数より少ないメンバを有する。たとえば、アンテナ３０１及び３０２が選択される。通常、サブセットのサイズはＮＢ＿ＳＳである。
【００１７】
完全なチャネル特性に従って、送信モードで動作している局Ａは、トレーニングフレームの短いシーケンス３００を生成する１２２（図３を参照）。本明細書で定義するように、短いシーケンスにおけるフレームの数は、少なくともＬＮＡ＿ＳＳ・ＮＢ／ＮＢ＿ＳＳ」に等しい。
【００１８】
短いトレーニングフレーム３００は、選択されたアンテナを介しチャネル１３０を介して、受信モードで動作している局Ｂに送信される。局Ｂは、トレーニングフレームの短いシーケンスからチャネルの部分的特性を推定する１１２。局Ｂでは、この部分的なチャネル特性を使用して、アンテナ又はビームのサブセットを選択することができる。このサブセットは、利用可能なアンテナの数より少ないメンバを有し、たとえばアンテナ２０１及び２０２である（図３を参照）。
【００１９】
推定されたチャネル特性と選択されたアンテナ又はビームとを後に使用して、送信モードで動作している局Ａ１２０から、チャネル１３０を介して、受信モードで動作している局Ｂ１１０にデータフレーム（ＤＴ）を送信することができ、その逆も可である。
【００２０】
ＭＩＭＯシステムのモデル
局Ａ１２０にＮＡ個のアンテナがあり局Ｂ１１０にＮＢ個のアンテナがあるフラットフェージングＭＩＭＯシステムでは、送信信号と受信信号との間の関係は、
【００２１】
【数１】
2008541497.tif 000003
【００２２】
として表すことができる。ここで、ｒＢはＮＢ＿ＳＳ×１受信信号ベクトルであり、ＳＡはＮＡ＿ＳＳ×１送信信号ベクトルであり、行列ＨＡ→Ｂは、チャネルの特性を表すＮＢ×ＮＡである。ＮＢ×１雑音ベクトルｎは、分散Ｎ０を有する独立同分布（independent and identically distributed）（ｉ．ｉ．ｄ．）ゼロ平均対称複素ガウスランダム変数であるエントリを有する。
【００２３】
行列ＦＡはＮＡ×ＮＡ＿ＳＳ送信選択行列であり、行列ＦＢは、ＮＢ×ＮＢ＿ＳＳ受信選択行列である。選択行列は、アンテナ選択のための単位行列の部分行列である。ビーム選択の場合、行列は、ユニタリ行列の列を含む。
【００２４】
アンテナ選択又はビーム選択後の等価チャネル行列は、ＮＢ＿ＳＳ×ＮＡ＿ＳＳ行列Ｈｅｑ＝ＦＨＢＨＡ→ＢＦＡであり、これは、チャネル行列ＨＡ→Ｂの部分行列、又はビーム選択のための変換されたチャネル行列の部分行列である。ＦＡ及びＦＢの確定は、通常、チャネル容量又は信号対雑音比（ＳＮＲ）を最適化することである。
【００２５】
アンテナ選択
アンテナ選択の場合、選択は単に、出力信号をＲＦ変調器チェーンから選択された送信アンテナに切り替えることにより、又は入力信号を選択された受信アンテナからＲＦ復調器チェーンに切り替えることによって行われる。
【００２６】
ビーム選択
ビーム選択の場合、変換を、ＲＦ領域において以下の構成要素のうちのいくつか又はすべてを使用して実施することができる。すなわち、バトラーマトリクス、移相器、減衰器／増幅器、及び線形結合器及びスイッチ、並びに続く切替回路である。別法として、この場合もまた移相器、減衰器／増幅器及び線形結合器を採用して、変換と選択とを合せて行ってもよい。両方の場合において、送信信号／受信信号を変調／復調するために必要なＲＦチェーンの数は、送信アンテナ及び受信アンテナの利用可能な総数を下回り、システムの複雑性及びコストが低減する。
【００２７】
トレーニングフレーム
局Ａ１２０は、局Ａから局Ｂへの完全なチャネル特性を表す完全なチャネル行列ＨＡ→Ｂを推定することにより、選択行列ＦＡを確定する。これは、局Ｂから局Ａにトレーニングフレームの長いシーケンス１１１を送信することによって達成される。チャネル１３０の相互関係により、局Ａ１２０における局Ｂから局Ａへの推定されたチャネル行列ＨＢ→Ａは、行列ＨＡ→Ｂの転置すなわちＨＢ→Ａ＝ＨＴＡ→Ｂである。
【００２８】
同様のプロセスを、トレーニングフレームの短いシーケンスを使用して局Ａ１１０によって実行することができる。なお、選択行列ＦＡ及びＦＢの確定は、両局においてそれらの推定されたチャネル行列に基づいて独立して行われることに留意されたい。選択されたアンテナ又はビームは、異なる方向におけるチャネル推定誤差又はチャネル変動のために２つの局において異なる可能性がある。この矛盾は、時に、深刻な性能劣化をもたらす可能性がある。
【００２９】
一例としてのＭＩＭＯシステムでは、両局Ａ及びＢは「４つのうちの２つ（two-out-of-four）」のアンテナ選択ポリシに従って動作するものとする。局Ａ１２０における推定されるチャネルは、
【００３０】
【数２】
2008541497.tif 000004
【００３１】
であり、局Ａ１２０における選択された送信アンテナ／受信アンテナは、それぞれ｛１，２｝及び｛１，２｝であり、それにより所望の等価チャネルは、
【００３２】
【数３】
2008541497.tif 000005
【００３３】
である。
【００３４】
局Ｂにおいて、推定されるチャネル行列は、幾分かのチャネルの曖昧さにより、
【００３５】
【数４】
2008541497.tif 000006
【００３６】
である。このため、局Ｂにおける選択された送信アンテナ／受信アンテナは、それぞれ｛３，４｝及び｛３，４｝であり、それにより所望の等価チャネルは
【００３７】
【数５】
2008541497.tif 000007
【００３８】
である。
【００３９】
両局における選択されたアンテナに関する情報を交換することなく、局Ａは送信アンテナ｛１，２｝を使用し、局Ｂは受信アンテナ｛３，４｝を使用し、結果としてのチャネル行列は
【００４０】
【数６】
2008541497.tif 000008
【００４１】
である。
【００４２】
従来技術では、この問題は、両局が選択されたアンテナの同じセットを使用するように、ＰＨＹレイヤ又はＭＡＣレイヤのいずれかにおいて何らかの情報交換メカニズムを提供することによって解決される。
【００４３】
しかしながら、ＰＨＹレイヤの場合、この目的のために各フレームのプリアンブルにフィールドを追加することは望ましくない。それは、このフィールドが、選択プロセス中にトレーニングフレームにおいてのみ使用されるためである。データフレームが後に送信される時、このフィールドは必要でない。ＭＡＣレイヤでは、追加の情報交換によってもたらされる遅延もまた問題である。上記理由を考慮して、本発明では、２つの局においてアンテナ／ビーム選択を逐次確定する。すなわち、まずデータフレームを受信する局において、次にデータフレームを送信している受信側において確定する。
【００４４】
トレーニングフレームの長いシーケンス２００は、完全なチャネル推定のために局Ｂ１１０から局Ａ１２０に送信される。局Ａにおけるアンテナ／ビームは、トレーニングフレームの長いシーケンスを使用して、推定された完全なチャネル行列（＾）ＨＡ→Ｂに基づいて選択される（（＾）は、Ｈの上に＾があることを表す。）。
【００４５】
トレーニングフレームの短いシーケンス３００は、局Ａにおける選択されたアンテナ／ビームの数に対応する部分的なチャネル行列を推定するために局Ａから局Ｂに送信される。局Ｂにおいて使用されるアンテナ／ビームは、推定される部分的なチャネル行列に基づいて確定される。
【００４６】
なお、後のいかなるデータフレームの送信も、選択されたチャネル部分行列とは無関係であることに留意されたい。簡単な解決法は、すべての局に対して固定のチャネル部分行列を使用することである。たとえば、局Ｂから局Ａに完全なチャネルトレーニングフレームを送信することにより、推定された完全なチャネル行列は
【００４７】
【数７】
2008541497.tif 000009
【００４８】
であり、局Ａにおいて確定される選択された送信アンテナ／受信アンテナは、それぞれ｛１，２｝及び｛１，２｝である。
【００４９】
局Ａにおいて選択された送信アンテナ１及び２を使用してトレーニングフレームの短いシーケンスを送信することにより、推定された部分的なチャネル行列は、
【００５０】
【数８】
2008541497.tif 000010
【００５１】
であり、局Ｂにおける選択されたアンテナは１及び２である。等価チャネル行列は
【００５２】
【数９】
2008541497.tif 000011
【００５３】
となる。
【００５４】
トレーニングフレームの構造
データ変調及び復調のための利用可能なＲＦチェーンの数に制限があることにより、トレーニングフレームは、交互に編成され、信号送信及び受信に対してアンテナのサブセットのみが同時に使用される。
【００５５】
図２は、ＭＩＭＯシステムに対するトレーニングフレームの長いシーケンス３００の一例を示し、そこでは、両局Ａ及び局Ｂは、「４つのうちの２つ」のアンテナ選択ポリシに従って動作する。トレーニングフレームの長いシーケンスは、局Ｂ１１０の送信アンテナ２０１〜２０４の各々によって送信され局Ａの各対応するアンテナによって受信されるトレーニングフレームを含む。
【００５６】
図２において、ＴＦは、２×２ＭＩＭＯシステムにおけるチャネル推定に対する各トレーニングフレームを表す。このため、時間間隔Ｔ１、Ｔ２、Ｔ３及びＴ４の各々の間に局Ｂから局Ａに送信される長いシーケンスのトレーニングフレームの各々に対し、チャネルの２×２部分行列が推定され、局Ｂにおけるアンテナ１及び２に対応するＨＡ→Ｂの最初の２つの行は、Ｔ１及びＴ２の間に推定される。Ｔ１からＴ２まで、この時トレーニングフレームの受信側である局Ａにおいて利用可能な２つのＲＦチェーンの入力は、アンテナ｛１，２｝から｛３，４｝に切り替えられる。Ｔ２からＴ３まで、この時トレーニングフレームの送信側である局Ｂにおいて利用可能な２つのＲＦチェーンの出力は、アンテナ｛１，２｝から｛３，４｝に切り替えられる。局Ａにおいて、アンテナ１及び２が選択される。
【００５７】
図３に示すように、局Ａから局Ｂに送信されるトレーニングフレームの短いシーケンスに対し、局Ａにおけるアンテナ１及び２（３０１及び３０２）に対応するＨＡ→Ｂの最初の２つの列のみが推定される。局Ｂにおけるアンテナ／ビーム選択は、この部分的なチャネル行列に基づいて確定される。ここで、データフレームの送信もまた選択されたアンテナ／ビームを使用することに留意されたい。
【００５８】
安定した出力を定めるためにスイッチに対して必要な遷移時間のために、連続したトレーニングフレームの間に幾分かの追加の保護間隔が挿入される。この追加の間隔を、ＯＦＤＭシステムにおいて、遷移期間にチャネルの最大遅延広がりを足した期間がガードインターバルを下回る場合、ガードインターバルにおいて考慮することができる。
【００５９】
１つの局のみがアンテナ／ビーム選択能力を有する場合、トレーニング方式は、局Ｂのみにおいてアンテナ／ビーム選択を含む１ステッププロセスまで簡略化される。
【００６０】
他の実施の形態
上述した方法はまた、ＩＥＥＥ８０２．１１ｎ標準規格に従って設計されたＯＦＤＭシステム等、システムが周波数選択的である場合にも適用することができる。これは、アンテナ選択及びＲＦ帯域処理を周波数とは無関係に実施することができるためである。ＲＦベースバンド処理は、性能利得が周波数選択性とは無関係であるが、アンテナ選択による利得は周波数選択性により平均化される傾向にある、という利点を有する。
【００６１】
ＯＦＤＭシステムでは、トレーニングフレームの異なるトーンがいくつかの送信アンテナから同時に送信されるように、トレーニングフレームを周波数インタリーブすることも可能である。
【００６２】
本発明を、好ましい実施形態の例として説明したが、本発明の精神及び範囲内でさまざまな他の適応及び変更を行ってもよい、ということが理解されなければならない。したがって、本発明の真の精神及び範囲内にあるこうしたすべての変形及び変更を包含することが添付の特許請求の範囲の目的である。
【図面の簡単な説明】
【００６３】
【図１】本発明の一実施の形態によるＭＩＭＯシステムのブロック図である。
【図２】第１の局Ｂによって生成されたトレーニングフレームの長いシーケンスのブロック図である。
【図３】第２の局Ｂによって生成されたトレーニングフレームの部分シーケンスのブロック図である。
【図１】
2008541497.tif 000012
【図２】
2008541497.tif 000013
【図３】
2008541497.tif 000014
【国際調査報告】
2008541497.tif 000015
2008541497.tif 000016
2008541497.tif 000017